(57)【要約】投影型ビデオディスプレイにおいて光センサ検出感度を設定する方法は、異なる色のビデオ信号を順次発生させ、ビデオ信号のビデオ画像によりセンサを照射するステップを有する。ビデオ信号に応じて、夫々の検出閾値を自動的に選択する。夫々の検出閾値を超えるセンサ信号を順次検出する。投影型ビデオディスプレイの自動調整のために検出されたセンサ信号を結合する。
2007503773.tif 000002
【特許請求の範囲】
【請求項１】
投影型ビデオディスプレイにおいてオプトセンサ検出感度を設定する方法であって：
ａ）異なる色のビデオ信号を順次発生させ、前記ビデオ信号のビデオ画像を用いてセンサを照射する発生ステップ；
ｂ）前記ビデオ信号に対応する夫々の検出閾値を自動的に選択する選択ステップ；
ｃ）前記夫々の検出閾値を超えるセンサ信号を順次検出する検出ステップ；及び
ｄ）前記投影型ビデオディスプレイの自動調整のために、前記検出されたセンサ信号を結合する結合ステップ；
を有する方法。
【請求項２】
前記選択ステップは、夫々の前記ビデオ信号に対して、センサ信号の検出のための固有の閾値を有効にする有効化ステップを有する、ことを特徴とする請求項１記載の方法。
【請求項３】
前記選択ステップは、色固有の検出閾値を選択するよう、夫々の前記ビデオ信号を処理するステップを有する、ことを特徴とする請求項１記載の方法。
【請求項４】
前記有効化ステップは、２つのカラービデオ信号が存在していない間に、第３の色の検出閾値を選択するステップを有する、ことを特徴とする請求項２記載の方法。
【請求項５】
前記選択ステップは、前記発生ステップの中断に続く時間間隔に、前記選択された閾値を維持するステップを有する、ことを特徴とする請求項２記載の方法。
【請求項６】
ディスプレイ装置用のビデオ増幅器であって：
前記ディスプレイ装置に結合されたカスコード増幅器として構成され、ビデオ信号に応答する第１及び第２のトランジスタ；
前記ビデオ信号に応じて制御電圧を発生させるために、前記第１及び第２のトランジスタに結合された時定数ネットワーク；及び
前記制御信号に応答し、前記ビデオ信号の有無に応じて導通と非導通との間で切り換えられる第３のトランジスタ；
を有するビデオ増幅器。
【請求項７】
前記第３のトランジスタは、前記ビデオ信号が前記カスコード増幅器に存在する場合に導通する、ことを特徴とする請求項６記載のビデオ増幅器。
【請求項８】
前記第３のトランジスタは。前記カスコード増幅器におけるビデオ信号の中断後の所定間隔の間は導通したままである、ことを特徴とする請求項６記載のビデオ増幅器。
【請求項９】
前記時定数ネットワークは、異なる充電及び放電の時間を有する、ことを特徴とする請求項６記載のビデオ増幅器。
【請求項１０】
前記第３のトランジスタは、前記ビデオ信号の存在に応じて所定の一定電流を発生させる、ことを特徴とする請求項６記載のビデオ増幅器。
【請求項１１】
少なくとも１つの光センサを用いる自動調整を有する投影型ディスプレイ装置であって：
前記光センサを照射し、センサ信号を形成するために、画像を発生させるビデオ信号源；
前記センサに結合され、ある信号値をかすめる前記センサ信号に応じて出力信号を発生させる検出器；及び
該検出器に対して検出閾値を設定するために、前記ビデオ信号に応答する閾値発生器；
を有し、
前記検出器は、前記センサ信号の値が前記ビデオ信号に応じて発生した前記検出閾値を超える場合に前記自動調整用の出力信号を発生させ、
前記ビデオ信号が存在しない場合には、前記閾値発生器は、第２のビデオ信号に従って第２の検出閾値を推測する、
ことを特徴とする投影型ディスプレイ装置。
【請求項１２】
自動位置合わせのために結合された前記ビデオ信号は、特定のカラー画像を表す、ことを特徴とする請求項１１記載の投影型ディスプレイ装置。
【請求項１３】
前記閾値信号の値は、前記ビデオ信号によって形成されたカラー画像による照射時に、前記光センサの信号の検出を可能とする、ことを特徴とする請求項１１記載の投影型ディスプレイ装置。
【請求項１４】
前記光センサを照射するために前記画像を形成するビデオ信号は、投影時にセンサを照射するよう、ラスタ内に置かれたマーカーブロックを表す、ことを特徴とする請求項１１記載の投影型ディスプレイ装置。
【発明の詳細な説明】
【技術分野】
【０００１】
本発明は、ビデオ投影型ディスプレイの分野、特に、ラスタ検知信号の処理に関する。
【背景技術】
【０００２】
投影型ビデオディスプレイにおいて、幾何学的なラスタ歪みは、陰極線ディスプレイ管の物理的位置に起因する。このようなラスタ歪みは、湾曲した凹型の蛍光体表面を有する陰極線管の使用及び光学投影経路内のそもそもの倍率によって増幅される。投影画像は、スクリーン上で夫々レジスタにあることが要求される３つの走査ラスタから構成される。３つの投影画像の正確なオーバーレイは、幾何学的な歪みを補償し、且つ、３つの投影画像の重ね合わせを容易にするよう、複数の波形の調整を必要とする。しかし、複数の波形の手動位置合わせは、製造中に大きな労力を要し、高度な試験装置を使用しないと、ユーザ立場でのセットアップを妨げうる。自動コンバージェンスシステムは、ラスタサイズ及びコンバージェンスを決定するようディスプレイスクリーン周囲でラスタエッジ測定を使用することによって、製造工程中の調整を簡単化し、ユーザによる位置調整を容易にする。このような自動コンバージェンスシステムは、スクリーンエッジに配置され、投影されたセットアップマーカーＭによって照射されるセンサに依存する。夫々のセンサにおける照射強度は、本願明細書中に援用される「オプトセンサ信号電流検出器（Ｏｐｔｏ  Ｓｅｎｓｏｒ  Ｓｉｇｎａｌ  Ｃｕｒｒｅｎｔ  Ｄｅｔｅｃｔｏｒ）」と題された合衆国特許番号６，３９２，６１２で論じられている多数の理由のために、非常に変化しうる。
【特許文献１】合衆国特許番号６，３９２，６１２
【発明の開示】
【発明が解決しようとする課題】
【０００３】
従って、感度の弱い又は照射不十分なセンサから不安定な信号が発せられることを回避するために、センサ信号検出閾値の形で異なる量の検出感度を適用することが有利である。調整時間を削減するために、投影されたセットアップマーカー画像の色に従って検出感度の差が制御可能に選択される、加速された手順が必要とされる。
【課題を解決するための手段】
【０００４】
投影型ビデオディスプレイにおいてオプトセンサ検出感度を設定する方法は、異なる色のビデオ信号を順次発生させ、前記ビデオ信号のビデオ画像を用いてセンサを照射する。前記ビデオ信号に応じて、夫々の検出閾値は、自動的に選択される。前記夫々の検出閾値を超えるセンサ信号は、順次検出される。前記検出されたセンサ信号は、前記投影型ビデオディスプレイの自動調整のために結合される。対応する発明性のある回路配置において、自動調整のために発生したビデオ信号は、カスコード増幅器として構成され、且つ、ディスプレイ装置に結合された第１及び第２のトランジスタを有するビデオ増幅器に結合されている。時定数ネットワークは、前記ビデオ信号に応じて制御電圧を発生させるために、前記第１及び第２のトランジスタに結合されている。第３のトランジスタは、前記制御信号に応答し、且つ、前記ビデオ信号の有無に応じて導通と非導通との間で切り換えられる。
【発明を実施するための最良の形態】
【０００５】
図１は、ビデオ投影ディスプレイの正面図を表す。投影ディスプレイは、スクリーン７００上に投影されるラスタ走査画像を有する複数の陰極線管を有する。キャビネットＣは、スクリーン７００を支持して囲み、スクリーンよりも僅かに小さい画像表示領域８００を備える。スクリーン７００は、領域ＯＳによって示されているように、キャビネットＣ内にあって、オーバースキャンモードで動作する場合にラスタ走査画像により照射されうる、エッジ領域を示すよう破線で描かれている。光センサＳは、キャビネットＣ内のエッジ領域内、且つ、視認領域８００の外側に、スクリーン７００の周りに隣接しておかれる。しかし、ラスタ走査画像は、また、キャビネット内に吊されていない、あるいは、キャビネットによって部分的に隠されていないスクリーン又は表面上に、画像表示を生成するよう投影されることが可能である。この画像表示方法は、前面投影表示として知られている。前面投影配置では、光センサは、上述したように置かれるが、スクリーンの周りに隣接した、隠されていない位置にある。後述する自動コンバージェンス補正システムの動作は、前面又は背面ディスプレイ投影に等しく適用可能である。
【０００６】
８個のセンサが図１には示されており、スクリーンエッジの角及び中央に置かれている。これらのセンサの位置により、画像の幅及び高さ並びに例えば回転、湾曲、不等辺四辺形、ピンクッションなどのような特定の幾何学的な誤差を決定し、それによって、スクリーン領域の全体に亘って互いに重ね合わせられるべき表示画像を位置合わせするよう、例えばビデオブロックＭのような電子的に発生したテストパターンを測定することが可能である。測定は、３つの投影されたカラー画像の夫々において水平及び垂直の両方向で実行され、このようにして、少なくとも４８個の測定値をもたらす。
【０００７】
測定及び調整システムの動作は、本願明細書中に援用される「オプトセンサ信号電流検出器（Ｏｐｔｏ  Ｓｅｎｓｏｒ  Ｓｉｇｎａｌ  Ｃｕｒｒｅｎｔ  Ｄｅｔｅｃｔｏｒ）」と題された合衆国特許番号６，３９２，６１２で説明されている。しかし、簡単に言えば、３つの陰極線管Ｒ、Ｇ及びＢは、コンバージェンスして、スクリーン７００上で単一の表示画像８００を形成するよう、個々のレンズシステムを通して方向付けられるラスタ走査された単色画像を形成する。夫々の陰極線管には、水平及び垂直偏向並びに水平及び垂直コンバージェンスを供給する四つのコイルから成る組が備わっている。偏向コイルの組は、振幅及び波形を制御され、且つ、ディスプレイに対して選択された信号源と同期する、偏向波形信号により駆動される。典型的なグリーンチャネルの水平及び垂直コンバージェンスコイルは、例えばスタティック及びダイナミックコンバージェンスのような、ＤＣ及びＡＣコンバージェンス信号を代表すると考えられうるコンバージェンス補正波形信号により駆動される。しかし、これらの機能的属性は、完全なラスタを動き、且つ、明らかなスタティックコンバージェンス又はセンタリング効果を達成するように、例えば、同じ値又はオフセットによって全ての測定位置アドレスを変更することにより、容易にされる。同様に、ダイナミックコンバージェンス効果は、特定の測定位置の所在地アドレスの変更によって作られても良い。グリーンチャネルに対する補正波形信号は、メモリから読み取られたデジタル値を変換する典型的なデジタル−アナログ変換器によって発生する。
【０００８】
ビデオ表示信号ＲＧＢは、例えばメニュー、又はスクリーン上で表示発生器によってディスプレイに対して一体化されうるセットアップ信号のような、ユーザに選択された入力ビデオセレクタ又は電子的に発生したビデオ情報のいずれか一方から導き出される。自動の感度校正又はコンバージェンス調整の間に、ビデオ発生器は、所定のビデオ振幅値を有する単色の長方形ブロックＭを伴う典型的な黒レベル信号を有する典型的な校正ビデオ試験信号を形成する。ブロックＭを有するビデオ試験信号は、例えば、特定の陰極線管の陰極に結合され、投影時に、図１に表すように、ブロックＭが典型的なセンサＳ１を照射するように、ラスタ内において水平及び垂直タイミングを決定することにより、自動的に位置を合わせられる。
【０００９】
三色の画像の調整及び位置合わせを容易にするために、セットアップブロックＭは、上述したように発生し、夫々の陰極線管（ＣＲＴ）において結合される。図１では、テストパターンブロックＭは、センサＳ１の近くに示されており、上述したように、夫々のセンサは、過走査（オーバースキャン）ラスタにより投影されたビデオ信号内でのマーカーブロックの時間指定された発生によって、あるいは、マーカーブロックＭがセンサＳ１を照らすように走査ラスタを位置合わせすることによって、照射されても良い。夫々のセンサは、投射照明の強度に比例する十分に線形な光発生信号を発生させる。しかし、夫々の個々のセンサにおける照明の強度は、非常に変化しうる。従来の自動セットアップ配置では、夫々のセンサは、ブロックＭの検出エッジが夫々の色に関して類似することを確実にするよう、夫々の色の照明に対する信号出力レベルに関して感度を求められた。検出感度の従来の配置調整では、約５秒が必要とされた。更に、検出感度に加え、表示マーカーブロックＭのビデオレベルは、また、全てのセンサが照らされ、あるいは照射されうることを確実にするよう、夫々の色に対して設定する固有の値に設定することができた。
【００１０】
次のシステム微調整は、検出感度が、相対的な蛍光残留に従って導き出された不変で、色固有である一定値に設定可能であることを示している。例えば、青の蛍光体は、最も少ない残留を有し、その結果、検出感度の最大の低下を必要とする最も明るい画像フラッシュを発生させる。逆に、緑の蛍光体は、最も長い残留を有し、薄暗く光り、従って、最大の検出感度を必要とする。赤の蛍光体は、青及び緑の蛍光体の残留の間である残留を有し、対応する中間検出感度を必要とする。更に、マーカー輝度又はマーカービデオレベルの調整は、要素エージングを補正するよう、十分な補償範囲を備えることができることが解明されている。この簡単化は、調整システムが差動装置であり、色の間のエッジ検出整合に対して鈍感であるので可能である。即ち、十分に、夫々の色に対するエッジ検出は、後の測定に伴って繰り返されることができる。
【００１１】
図２の回路配置は、センサ信号検出のための所定の閾値が夫々の色に対して設定される、上述した有利なセンサ信号検出器を示す。更に、色固有の閾値は、夫々の陰極線管に結合されているビデオ調整マーカーブロック信号Ｍによって、自動的に選択される。図２において、スクリーン周辺のセンサＳ１からＳ８は、点線ブロック１００の並列接続により表されている。ビデオマーカーブロックＭの投影画像は、センサ信号Ｉｉｌｌを発生させるセンサＳ１上に入射するよう表されている。センサ信号Ｉｉｌｌは、信号接地に結合されている直列接続された抵抗Ｒ１及びキャパシタＣ１によって形成されている低域通過フィルタを介して、ブロック２００内にあるセンサ増幅器Ｕ１に結合される。
【００１２】
センサ増幅器Ｕ１の詳細な説明は、米国特許出願番号０９／６５７，６４７に示されている。しかし、簡単に言うと、差動増幅器Ｕ１の使用は、好ましからざるクロストーク信号成分の除去と共に、望ましいセンサ信号の増幅を、両方とも提供する。センサ信号Ｉｉｌｌは、反転入力増幅器Ｕ１と、更に、抵抗Ｒ２を介して非反転入力とに結合される。抵抗Ｒ３及びＲ４は、非反転入力にバイアス電位を供給するよう、負電源から接地に分圧器を形成する。キャパシタＣ２及び抵抗Ｒ５の並列接続配置は、増幅器Ｕ１の出力から反転入力へのフィードバックを提供する。フィルタをかけられ、且つ、増幅されたセンサ信号Ｉｓｅｎは、増幅器Ｕ１から直列に接続されたキャパシタＣ３及び抵抗Ｒ６を介して出力される。
【００１３】
フィルタをかけられ、且つ、増幅されたセンサ信号Ｉｓｅｎの検出は、本願明細書中に援用される合衆国特許６，３９２，６１２に詳しく記述されているブロック３００で実行される。しかし、簡単に言うと、トランジスタＱ１及びＱ２は、増幅器Ｕ１からのセンサ信号Ｉｓｅｎの振幅に従って、導通と非導通との間で切り換えられるカスコード増幅器を形成する。信号Ｉｒｅｆは、トランジスタＱ３により発生し、トランジスタＱ１のベースにおいて抵抗Ｒ６及び抵抗Ｒ７の接続点に結合されている。信号Ｉｒｅｆは、トランジスタＱ１が、増幅器Ｕ１からのセンサ信号Ｉｓｅｎが、信号Ｉｓｗの振幅を低下させるのに十分な振幅となるまで、信号Ｉｓｗによって飽和導通状態にされ、且つ、トランジスタＱ１が非導通にされるような値を有するよう選択される。従って、トランジスタＱ１は、導通／非導通、又はトランジスタＱ３のコレクタからの信号Ｉｒｅｆによって決定されるセンサ信号検出閾値によりセンサ信号検出器を形成する。更に、信号Ｉｒｅｆは、後述するように、ブロック４００内で形成され、トランジスタＱ３のエミッタに結合されているビデオ導出制御信号に従って選択的に決定される。
【００１４】
センサがマーカーＭによって照射されていない場合には、信号Ｉｓｗは、トランジスタＱ１をオンとする。トランジスタＱ１は、トランジスタＱ２を名目上接地電位とされるコレクタによりオンとする。検出されたセンサ信号は、トランジスタＱ２のコレクタに形成され、名目上、零ボルトでは、センサが照射されていないことを示し、トランジスタＱ４のベース−エミッタ電圧に等しい負電圧では、センサが照射されていることを表す。トランジスタＱ４及びＱ５は、数マイクロ秒の最小検出センサパルス存続期間を確実にするパルス伸縮フィルタを形成する。検出され、且つ、伸縮されたセンサ信号は、図示されていない自動化システム制御器に結合するための信号２０２として、トランジスタＱ５のコレクタから出力される。
【００１５】
図２の回路配置、ブロック３００の動作は、合衆国特許６，３９２，６１２に詳細に記述されている。しかし、簡単に言うと、トランジスタＱ１、Ｑ２及びＱ３は、複数の選択可能な検出閾値を有するセンサ信号検出器を提供する。検出閾値は、更に、所定の検出ターンオフ閾値ヒステリシスを含む。閾値信号Ｉｒｅｆの大きさは、電流源トランジスタＱ３のエミッタ電圧を基に決められる。これは、トランジスタＱ３のエミッタを正の電源電圧に結合するエミッタ抵抗Ｒ１１の値に関連する。従来の配置では、閾値信号Ｉｒｅｆの制御は、エミッタ抵抗Ｒ１１に並列に結合された実効インピーダンスを表すと考えられるデジタル−アナログ変換器によって提供された。この方法では、蓄積されたデジタル閾値は、個々のセンサ固有の検出閾値を供給するよう電流源トランジスタのエミッタに結合するために、アナログ値に変換される。
【００１６】
図２のブロック４００は、電流源トランジスタＱ３のエミッタで加えられた信号を選択的に制御することによって、検出閾値を変化させることを容易にする本発明の配置を示す。更に、センサ検出閾値は、ラスタセンサの空間的な位置ではなく、表示色に従って制御されうるので、色固有の閾値が、自動調整の間に発生したカラービデオマーカーブロックＭによって制御可能に選択される。
【００１７】
ブロック４００の動作は、以下の通りである。デジタルコンバージェンスシステムの一部は、投影表示色の夫々に対して夫々のセンサを照射するよう、表示ラスタ内にビデオマーカーブロックＭを発生させて、位置を合わせる。ブロック４００において、デジタルコンバージェンスシステムからの典型的なレッドマーカーＭのビデオ信号Ｒｖは、抵抗Ｒ１６によって形成された分圧器を介して、接地に結合された抵抗Ｒ１７を伴うトランジスタＱ７のベースに結合される。トランジスタＱ７のエミッタは、抵抗Ｒ１８を介して接地に結合され、トランジスタＱ７は、トランジスタＱ８と共に、カスコード増幅器の電流源部分として配置されている。トランジスタＱ８のベースは、正の電源と接地との間に結合され、且つ、抵抗Ｒ２０及びＲ２１によって形成された分圧器から抵抗Ｒ２２を介して供給される。トランジスタＱ８は、コレクタから、レッドビデオ増幅器Ｕ２に結合された分離された正の電源に接続されている抵抗Ｒ１９の両端で増幅信号（４０２）を形成する。トランジスタＱ７のコレクタ及びトランジスタＱ８のエミッタの接続点は、また、直列接続された抵抗Ｒ２３を介してキャパシタＣ５の接続点に結合されている。キャパシタＣ５は、３．３ボルトの正の電源と、ＰＮＰトランジスタＱ６のベースに結合された更なる抵抗Ｒ２４とに接続されている。トランジスタＱ６のベースは、また、抵抗Ｒ２５を介して正の電圧源に接続されている。トランジスタＱ６は、正の電源に接続されたエミッタと、抵抗Ｒ１５を介して基準電流源トランジスタＱ３のエミッタへのコレクタ共通電流Ｉｒとを有する飽和スイッチである。
【００１８】
レッドマーカー信号増幅器の動作は、以下の通りである。カスコードトランジスタＱ７、Ｑ８、Ｑ１０、Ｑ１１及び関連する回路は、本願明細書中に援用される「カスコードトランジスタを有するビデオ信号ドライバ（Ｖｉｄｅｏ  Ｓｉｇｎａｌ  Ｄｒｉｖｅｒ  Ｉｎｃｌｕｄｉｎｇ  Ａ  Ｃａｓｃｏｄｅ  Ｔｒａｎｓｉｔｏｒ）」と題された合衆国特許５，９６９，７６２で論じられている無線周波数フィルタリングを有するカスコードビデオドライバとして構成されている。トランジスタＱ７及びＱ８によって形成されたカスコード増幅器は、およそ２の電圧利得を有し、増幅器Ｕ２を介して、レッドマーカー信号Ｍ、即ちＲｖｏｕｔ（４０６）としてのレッドＣＲＴに結合されている反転信号４０２を形成する。
【００１９】
入力信号Ｒｖの実際の振幅は、４ビットのデジタルワードによって決定されるので、レッドマーカーブロック信号Ｒｖは、零ボルトでの第１のステップと、０．６から１．６ボルトの範囲内に均一に配置された１５の残留値とを有する０．０ボルトから１．６ボルトの範囲内に、振幅の値を有することができる。時間間隔がｔ０．０〜ｔ０．５ミリ秒の間に、図３Ａに表すようにレッドマーカービデオ信号Ｒｖは零ボルトであり、トランジスタＱ７はトランジスタＱ８に電流を供給しない。トランジスタＱ８のエミッタは、抵抗Ｒ２３、Ｒ２４及びＲ２５を介する抵抗経路により、およそ３．３Ｖの電位とする。更に、キャパシタＣ５は、抵抗Ｒ２３、Ｒ２４及びＲ２５を介して零ボルトに放電される。例えば、典型的なレッドマーカー信号がＶｒ＝０．８ボルトのステップ幅を有する入力である場合には、０．７２ボルトがトランジスタＱ７のベースを駆動し、約０．１２ボルトが抵抗Ｒ１８の両端に現れる。この電圧は、抵抗Ｒ１８に流れるおよそ５．３ミリアンペアをもたらし、抵抗Ｒ２３を介してキャパシタＣ５を充電する。キャパシタＣ５が、トランジスタＱ８のエミッタが約１．６５ボルトの電位に達するように充電されている場合には、トランジスタＱ８はオンとなり、キャパシタＣ５の更なる充電をクランプし、５．５ミリアンペアの電流の大部分を抵抗Ｒ１９に供給する。このクランプ点は、分配抵抗Ｒ２０及びＲ２１によるトランジスタＱ８のベースでの２．２５Ｖのベースバイアスによって決定される。５．３ミリアンペアよりもはるかに小さい電流が、抵抗Ｒ２４に流れ、トランジスタＱ６にベースバイアスを供給する。ＰＮＰトランジスタＱ６は、ほぼ＋３．３ボルトの電源電圧で飽和し、抵抗Ｒ１５の値によって決められる電流Ｉｒを導く。
【００２０】
ビデオマーカー画像Ｍは、多数の隣り合う走査ラインを有する、短く、整列され、照らされたセグメントから作られている。マーカービデオパルスが終了すると、トランジスタＱ７及びＱ８はオフとなり、キャパシタＣ５は、抵抗Ｒ２４を介してトランジスタＱ６のベースにゆっくりと放電する。しかし、トランジスタＱ６は、隣り合って連続する走査ラインからの更なるキャパシタの充電を最小限にするに足りる程の長さの時間の間、オンのままである。これは、残りの照射されたラインでのビデオパルスの立ち上がりにおいて、コントラスト又はビデオ振幅の損失を制限する必要がある。このような損失は、照射領域が光センサを横切って動くので、正確なエッジ検出を妨げうる。照射領域Ｍの第１のラインのみが、キャパシタＣ５に全ての充電エネルギーを供給し、このようにして、マーカーは、コントラストにおいて損失を有し、従って、照射マーカーのこの領域は、自動化システムによって使用されていない。
【００２１】
トランジスタＱ６の電流Ｉｒは、抵抗Ｒ１１に流れる電流Ｉｇに足され、電流Ｉｒｅｆを形成するようにトランジスタＱ３を流れる。センサ電流Ｉｓｅｎは、センサを照射するマーカーＭに起因して、ベースバイアス電流ＩｓｗをトランジスタＱ１に与えず、トランジスタＱ１がオフに切り換えられ、それによって、センサへの照射を示すために、増大した電流Ｉｒｅｆを超えなければならない。従って、検出トランジスタＱ１０によって検出されるレッドマーカーＭの画像の検出のための閾値は、電流ＩｒとＩｇとの総和によって増大する。
【００２２】
トランジスタＱ９、Ｑ１０及びＱ１１並びにブルービデオ増幅器４０８を有するブルーマーカー信号増幅器の動作は、抵抗Ｒ１４が、トランジスタＱ９のコレクタから、レッドマーカービデオ信号に応じて発生したおよそ４倍の大きさを有する電流Ｉｂを供給することを除いて、レッド増幅器の動作と同一である。レッド及びブルーのビデオ信号Ｒｖ及びＢｖの両方がない場合には、更なる電流が、トランジスタＱ３のエミッタで足されず、電流Ｉｒｅｆは、グリーン検出閾値Ｉｇに十分に等しい。
【００２３】
図３Ａ〜Ｇは、図２の本発明の配置の動作を理解しやすくするために、様々な波形を示す。レッドマーカービデオ信号４０１、Ｒｖは、図３Ａに表されている。レッド信号Ｒｖは、トランジスタＱ７のベースを結合され、約９１％の信号振幅をもたらす抵抗Ｒ１６及びＲ１７によって導出される。トランジスタＱ７のエミッタで、且つ、抵抗Ｒ１８両端で、導出されたＲｖ信号は、抵抗Ｒ１８に電流を作る１つのベース−エミッタ・ダイオオード降下によりマイナスとなる。この電流は、また、トランジスタＱ７及びＱ８並びにＲ１９を流れ、抵抗Ｒ１８の両端の電圧のおよそ２倍の電圧を抵抗Ｒ１９の両端に発生させる。この電圧Ｒｖｏｕｔは、レッドビデオ反転増幅器４０６と、レッド陰極線管（ＣＲＴ）を駆動する。
【００２４】
トランジスタＱ７のコレクタ及びトランジスタＱ８のエミッタの接続点での電圧Ｖｒｃｄ（Ｖ  ｒｅｄ  ｃｏｌｏｒ  ｄｅｔｅｃｔ）は、図３Ｂに示されている。時間間隔ｔ０．０〜ｔ０．５ミリ秒の間に、レッドマーカービデオ信号Ｒｖは、零ボルトであり、電圧Ｖｒｃｄは、抵抗Ｒ２４及びＲ２５並びにトランジスタのベース−エミッタ接合を介するキャパシタＣ５の放電に起因して、３．３ボルト又は３．３ボルト付近である。トランジスタＱ８のベース−エミッタ接合は逆バイアスをかけられ、トランジスタＱ７は導通していない。時間間隔ｔ０．５〜ｔ１．５ミリ秒で、約１ボルトのレッドマーカーパルスは、オンとなったトランジスタＱ７に結合され、トランジスタＱ８のベース−エミッタ接合を導通させる。オンとされたトランジスタＱ８により、電圧Ｖｒｃｄは、約１．６５ボルトにクランプされ、２．２５ボルトの電圧を下回る１つのベース−エミッタ・ダイオード降下が、分配抵抗Ｒ２０及びＲ２１によって決定される。電圧Ｖｒｃｄは、抵抗Ｒ２３を介して印加され、電源電圧から離れたキャパシタＣ５を３．３ボルトから１．６５ボルトを引いた電圧に充電する。このキャパシタ電圧は、抵抗Ｒ２４を介してＰＮＰスイッチングトランジスタＱ６のベースに結合され、コレクタ電圧が十分に３．３ボルトの電源電圧であるように、トランジスタＱ６を導通させて飽和させる。このキャパシタ電圧は、図３Ｃに電圧Ｖｒｅｄｄｅｔ（Ｖ  ｒｅｄ  ｄｅｔｅｃｔｅｄ）として示されている。
【００２５】
図３Ｄは、電流源トランジスタＱ３のコレクタからの閾値電流Ｉｒｅｆを示す。上述したように、電流Ｉｒｅｆは、抵抗Ｒ１１に流れる電流Ｉｇと、抵抗Ｒ１５を流れる電流Ｉｒと、抵抗Ｒ１４を流れる電流Ｉｂとの総和によって決定される。グリーン閾値電流Ｉｇは、常に存在し、緑の画像の測定のために閾値電流Ｉｒｅｆを決定する。レッド及びブルーの閾値電流Ｉｒ又はＩｂは、夫々、夫々のレッド及びブルーマーカービデオ信号Ｖｒ、Ｖｂによって駆動されるトランジスタＱ６又はＱ９の切り換え動作によって、電流Ｉｇに加えられる。
【００２６】
閾値電流Ｉｒｅｆは、図３Ｄに示され、時間間隔ｔ０．０〜ｔ０．５ミリ秒の間、最初はＩｇに等しい。時間ｔ０．５ミリ秒で、レッドビデオ信号が発生し、トランジスタＱ６をオンとし、閾値電流Ｉｒｅｆをレッド閾値電流Ｉｒ付近まで増大させる。図３Ｅは、光センサＳ１・・・Ｓ８の幾つかでの光誘起電流によって決定される電流Ｉｓｅｎを示す。センサ信号は、増幅され、増幅器Ｕ１によって電圧に変換され、抵抗Ｒ６の両端に現れるようキャパシタＣ３を介して交流結合される。光検出スイッチトランジスタＱ１を駆動するベース電流Ｉｓｗは、図３Ｆに示されている。ベース電流Ｉｓｗは、ＩｒｅｆとＩｓｅｎとの総和である。図３Ｅにおいて、約１ミリ秒で、マーカーＭはセンサを照射し、電流Ｉｓｅｎは、瞬間的に、電流Ｉｓｗを零とし、トランジスタＱ１をオフさせる閾値電流Ｉｒｅｆを超える。そのとき、電流Ｉｒｅｆは、抵抗Ｒ６を介して充電キャパシタＣ３に流れる。正のフィードバックが、キャパシタＣ３の充電を遅くするために使用される。マーカー光パルスは、閾値電流Ｉｇ、Ｉｒ及びＩｂを約１／３だけ低下させるトランジスタＱ３のベースでの変化にバイアスをかけることによって効果的に伸縮され、それによって、検出ヒステリシスを供給する。４ミリ秒後に、第２のセンサが照射され、グリーンマーカー画像により検出される。留意すべきは、図３Ｃの電圧Ｖｒｅｄｄｅｔは、その初期レベルに戻り、図３Ｄの電流Ｉｒｅｆの値は、その初期レベルに戻り、光パルスＭの間に電流Ｉｒｅｆが１／３だけ減少することである。図３Ｇは、自動調整を容易にするよう、マイクロコンピュータに供給される光検出パルスＶ２０２を示す。
【図面の簡単な説明】
【００２７】
【図１】投影型ビデオディスプレイの単純化された正面図である。
【図２】投影されたビデオ画像の色に従ってセンサ信号の検出閾値を制御するための本発明の配置の回路図である。
【図３】ＡからＧは、図２に示した本発明の配置内の様々な場所での信号波形を示す。
【図１】
2007503773.tif 000003
【図２】
2007503773.tif 000004
【図３Ａ】
2007503773.tif 000005
【図３Ｂ】
2007503773.tif 000006
【図３Ｃ】
2007503773.tif 000007
【図３Ｄ】
2007503773.tif 000008
【図３Ｅ】
2007503773.tif 000009
【図３Ｆ】
2007503773.tif 000010
【図３Ｇ】
2007503773.tif 000011
【国際調査報告】
2007503773.tif 000012
2007503773.tif 000013